(57)【特許請求の範囲】
【請求項１】
個体識別情報を有するＩＣチップと送受信アンテナとを含む非接触式ＩＣタグと、
磁気式タグとを含み、
前記非接触式ＩＣタグと前記磁気式タグが少なくとも一部分において絶縁層を介して重なっていることを特徴とする電子タグ。
【請求項２】
請求項１に記載の電子タグにおいて、前記磁気式タグの磁性部分が前記非接触ＩＣタグに用いる電波周波数において電気伝導性を有していることを特徴とする電子タグ。
【請求項３】
請求項１または請求項２に記載の電子タグにおいて、前記非接触式ＩＣタグの送受信アンテナが非磁性材料で構成されることを特徴とする電子タグ。
【請求項４】
請求項１から請求項３のいずれかに記載の電子タグにおいて、前記非接触式ＩＣタグの前記送受信アンテナが、アルミニウムもしくは銅を含むことを特徴とする電子タグ。
【請求項５】
請求項１1から請求項４のいずれかに記載の電子タグにおいて、前記非接触式ＩＣタグの少なくともインピーダンス整合回路部分が、前記磁気式タグの磁性部分と重ならないことを特徴とする電子タグ。
【請求項６】
請求項１から請求項５のいずれかに記載の電子タグにおいて、前記磁気式タグの前記磁性部分の長さが、前記非接触式ＩＣタグの前記送受信アンテナの長さより長いことを特徴とする電子タグ。
【請求項７】
請求項１から請求項６のいずれかに記載の電子タグにおいて、前記非接触式ＩＣタグの中心と、前記磁気式タグの一方の端部との距離が２０ｍｍから５０ｍｍの範囲であることを特徴とする電子タグ。
【請求項８】
請求項１から請求項７のいずれかに記載の電子タグにおいて、前記非接触式ＩＣタグの動作周波数が４００ＭＨz以上であることを特徴とする電子タグ。
【請求項９】
請求項１から請求項８のいずれかに記載の電子タグにおいて、前記非接触式ＩＣタグの長さが３０ｍｍ以下であることを特徴とする電子タグ。
【請求項１０】
請求項１から請求項９のいずれかに記載の電子タグにおいて、前記非接触式ＩＣタグのチップの個体識別情報がROMによって構成されていることを特徴とする電子タグ。
【発明の詳細な説明】
【技術分野】
【０００１】
本発明は、非接触式ＩＣタグと磁気式タグが一体化した電子タグであって、個体識別および盗難防止の両方の機能を兼ね備えた電子タグに関する。
【背景技術】
【０００２】
近年、非接触式ＩＣタグを用いる非接触式個体識別システムは、物のライフサイクル全体を管理するシステムとして、製造、物流、販売、リサイクルのすべての業態で注目されている。特にＵＨＦ波やマイクロ波を用いる電波方式の非接触式ＩＣタグは、ＩＣチップに外部アンテナを取り付けた構造で数メートルの通信距離が可能であるという特徴によって注目されており、現在、大量の商品の物流管理や製造物履歴管理、セキュリティ管理等を目的にシステムの構築が進められている。【０００３】
一方、磁気式タグは、磁性体が電磁場に影響を与えることを利用して、店舗からの商品の不正な持ち出しを防止するため等に用いられている。磁気式タグは、電磁場を発生および感知するゲート等のシステムと対応させて利用されているが、個品毎の識別機能はないため、あくまで商品の店舗からの不正な持ち出しを監視する等のシステムであって、棚卸等の商品管理をする上では利用できないものであった。電子タグで盗難防止と商品管理の両方を行おうとする場合には、磁気式タグと非接触式ＩＣタグを別々に商品に取り付けることで可能となるが、取り付ける手間と両方のタグの費用がかかっていた。【０００４】
そこで、盗難防止と商品管理の両方の機能を兼ね備えた電子タグが、特開２００４−４２２７５０８号公報にて考案されている。この電子タグは、無線ＩＣチップを内蔵したケースタグ本体に軟磁性体の箔層が形成され、アンテナ用として軟磁性体からなる金属線を組み付けた吊持用紐体が取り付けられた構造をしている。この電子タグは、軟磁性体の箔層と無線ＩＣチップをずらせて同一ケース内にパックされており、吊持用紐体を備え、商品の外側に取り付ける形状をしている。【０００５】
しかしながら、商品によっては、電子タグが商品とほぼ一体化するような形状であることが要求される場合がある。例えば、商品が書籍、ＣＤ、ＤＶＤなどの場合、棚に陳列された状態のまま在庫を確認できるようにするためには、背表紙やケースの幅の狭い面に電子タグを貼り付ける必要がある。【０００６】
このような場合、電子タグは細く、薄い形状であることが必須である。さらに低価格にするためには小型であることが望まれる。
【発明の開示】
【０００７】
本発明は、上述の実情に鑑み、盗難防止と商品管理の両方の機能を兼ね備え、かつ被着体へ取り付ける手間を軽減でき、さらに細型で安価である電子タグを提供することを目的としている。
【０００８】
上述の課題を解決するために、本発明に係る電子タグは、個体識別情報を有するＩＣチップと送受信アンテナとを含む非接触式ＩＣタグと、磁気式タグとを含み、前記非接触式ＩＣタグと前記磁気式タグが少なくとも一部分において絶縁層を介して重なっているものである。
【０００９】
前記電子タグにおいて、前記磁気式タグの磁性部分が前記非接触ＩＣタグに用いる電波周波数において電気伝導性を有していることが好ましい。
【００１０】
前記電子タグにおいて、前記非接触式ＩＣタグの送受信アンテナが非磁性材料で構成されることが好ましい。
【００１１】
前記電子タグにおいて、前記非接触式ＩＣタグの前記送受信アンテナが、アルミニウムもしくは銅を含むことが好ましい。
【００１２】
前記電子タグにおいて、前記非接触式ＩＣタグの少なくともインピーダンス整合回路部分が、前記磁気式タグの磁性部分と重ならないことが好ましい。
【００１３】
前記電子タグにおいて、前記磁気式タグの前記磁性部分の長さが、前記非接触式ＩＣタグの前記送受信アンテナの長さより長いことが好ましい。
【００１４】
前記電子タグにおいて、前記非接触式ＩＣタグの中心と、前記磁気式タグの一方の端部との距離が２０ｍｍから５０ｍｍの範囲であることが好ましい。
【００１５】
前記電子タグにおいて、前記非接触式ＩＣタグの動作周波数が４００ＭＨz以上であることが好ましい。
【００１６】
前記電子タグにおいて、前記非接触式ＩＣタグの長さが３０ｍｍ以下であることが好ましい。
【００１７】
前記電子タグにおいて、前記非接触式ＩＣタグのチップの個体識別情報がROMによって構成されていることが好ましい。
【００１８】
本発明の電子タグは、無線通信用ＩＣチップと、送受信アンテナからなる非接触式ＩＣタグと、磁気式タグとを含むものであって、盗難防止と商品管理の両方の機能を兼ね備え、かつ被着体へ取り付ける手間を軽減でき、さらに細型で安価である電子タグを実現できる。
【図面の簡単な説明】
【００１９】
【図１】図１（ａ）は本発明の電子タグの形態の一例を示す平面図であり、図１（ｂ）は本発明の電子タグの形態の一例を示す断面図である。
【図２】図２（ａ）は非接触式ＩＣタグの形態の一例を示す平面図であり、図２（ｂ）は非接触式ＩＣタグの形態の一例を示す平面図である。
【図３】図３は、非接触式ＩＣタグ中心と、磁気式タグの一方の端部との距離を示す断面図である。
【図４】図４は、本発明の電子タグに用いた非接触式ＩＣタグの中心と、磁気式タグの一方の端部との距離と非接触式ＩＣタグの最大通信距離の関係を示したグラフである。
【発明を実施するための最良の形態】
【００２０】
以下、本発明の実施形態について図面を用いて詳細に説明する。なお、以下の実施形態は例として示すものであり、本発明はこれらの実施形態に限定されるものではない。【００２１】
図1に、本発明の電子タグの形態の一例を示す。【００２２】
図1（a）は電子タグの平面図であり、図１（ｂ）はその断面図である。本形態の電子タグは、無線通信用ＩＣチップ1と前記ＩＣチップ1が電気的に接続された送受信アンテナ2からなる非接触式ＩＣタグ3を、粘着層5を介して磁気式タグ4に重ねた構造である。【００２３】
図2に、本発明に好適な非接触式ＩＣタグの一例を示す。【００２４】
図2（a）および図2（b）は、2.45GHzのマイクロ波を用いる電波方式の非接触式ＩＣタグである。４００MHｚ以上のマイクロ波を用いる電波方式の非接触式ＩＣタグは、アンテナ形状が棒状であるダイポールアンテナを用いることで良好な通信特性を得ることができるため、タグ形状の細型化が可能である。一方、動作周波数が１３．５６MHｚの電磁誘導方式の非接触式ＩＣタグの場合は、アンテナがコイル状であるため、ある程度の面積を持った平板状になってしまう。したがって、本発明に用いる非接触式ＩＣタグの動作周波数は、４００MHｚ以上であることが好ましい。【００２５】
本発明の電子タグに用いる非接触式ＩＣタグは、電波方式の非接触式ＩＣタグであり、図2に示したように、送受信アンテナ基板にはＩＣチップとのインピーダンス整合を行い、良好な通信距離を得るためのL字型やT字型の励振スリット6が加工されている。本発明の電子タグは、この励振スリットが磁気式タグに重ならないことが好ましい。即ち、ある特定のL字型やT字型の励振スリットでは、表1に示すように、励振スリットが磁気式タグと重なった場合、インピーダンス整合が取れなくなり、非接触式ＩＣタグの通信性能が低下する場合があるからである。元々、磁気式タグとの重なりを考慮した励振スリットを設計する場合を除き、この様な励振スリットの重なりによる非接触式ＩＣタグの通信性能の低下が起こりやすい。
【表１】
0004742141.tif 000002
【００２６】
また、非接触式ＩＣタグの送受信アンテナと磁気式タグが重ならない場合にも通信性能が低下する場合があるため、非接触式ICタグと磁気式タグが重なっている構造が好ましい。本発明の電子タグは、磁気式タグを非接触式ＩＣタグのブースターアンテナとして利用している。ブースターアンテナとは、非接触式ＩＣタグの通信特性を向上させるために設けられる補助アンテナである。【００２７】
一般に、電波方式で送受信アンテナ基板の長さが３０ｍｍ程度以下の非接触式ＩＣタグは、単独では通信性能が悪く、読み取り性が不安定であるが、本発明のように、非接触式ＩＣタグと磁気式タグとを絶縁層を介して重ねることで、高周波が印加された場合に、非接触式ＩＣタグの送受信アンテナと磁気式タグが電磁結合をし、磁気式タグを非接触式ＩＣタグのブースターアンテナとして利用でき、通信距離を向上させることができる。このように、磁気式タグをブースターアンテナとして利用することで、非接触式ＩＣタグの小型化、低価格が実現可能である。材料の省資源化により、材料製造や加工に係る消費エネルギーを低減可能である。この事は、製造から利用、廃棄に至る一連の環境負荷（例えばＣＯ２排出量）を低減させる効果がある。【００２８】
この様なブースターアンテナ効果は、非接触式ＩＣタグの送受信アンテナの一部と、磁気式タグの磁性部分の一部とが重なっていれば十分である。ただし、その効果を大きくする為には、下記が満足されると好ましい場合がある。【００２９】
・磁気式タグの磁性部分が、非接触式ＩＣタグが利用する電波の周波数帯域に於いて電気伝導性を有すること。これにより、磁性部分が効果的にアンテナ効果ないしブースター効果を発揮する。【００３０】
・磁気式タグの磁性部分の長さが、非接触式ＩＣタグのアンテナ長さよりも長いこと。【００３１】
これにより、ブースター効果が大きくなる場合がある。（ただし、短くとも効率的なアンテナは設計可能なので、磁性部分の長さの短長に捕われない場合もある。）【００３２】
また、非接触式ＩＣタグにより磁気式タグの性能を劣化させない為には、下記が満足されると好ましい場合がある。【００３３】
・非接触式ＩＣタグの送受信アンテナが非磁性材料で構成されること。これにより、非接触式ＩＣタグが磁気的な悪影響を及ぼさない。【００３４】
非接触式ＩＣタグと磁気式タグの配置は、非接触式ＩＣタグの動作周波数を２．４５ＧＨｚとした場合、非接触式ＩＣタグの中心と磁気式タグの一方の端部からの距離が２０ｍｍ〜５０ｍｍの範囲にあることが好ましい。図３に両者の配置の説明図、図４に両者の配置と最大通信距離の関係を示す。ここで、図３中に非接触式ＩＣタグ中心−磁気式タグ単部間距離Ｄを示す。また、図４中に良好な範囲Ｒ１及び特に良好な範囲Ｒ２を示す。非接触式ＩＣタグの中心と磁気式タグの一方の端部からの距離が３０ｍｍ〜４０ｍｍの時、最も良好な特性が得られ、特に好適な配置である。【００３５】
本発明の電子タグに用いる非接触式ＩＣタグの送受信アンテナは、アルミニウムもしくは銅を含む金属を用いることができる。これらの金属は安価でエッチング等の加工性も良く、良好な特性を得るためのアンテナ材料として一般的であり、好適である。【００３６】
また、本発明の電子タグに用いる無線通信用ＩＣチップは、個体識別情報をROMによって構成することが好ましい。無線通信用ＩＣチップに固有IDのみをROMによって構成し、その固有IDをネットワーク上で管理すれば、小型で安価でありながら、かつ改竄不可能なＩＣを有するＩＣチップを実現できるからである。この様なＩＣチップは、低価格かつ高い利便性を有する事から、本発明のＩＣチップとして採用する事で、より大きな効果を発揮できる場合がある。【００３７】
本発明の無線通信用ＩＣチップと送受信アンテナからなる非接触式ＩＣタグと磁気式タグからなる電子タグは、盗難防止と商品管理の両方の機能を兼ね備え、かつ被着体へ取り付ける手間を軽減でき、さらに細型で安価である電子タグを実現できる。【００３８】
以下、本発明の好適な実施例について説明するが、本発明はこれらの実施例に限定されるものではない。
【実施例】
【００３９】
まず、図２（ｂ）に示した形状のアンテナの長さが１５ｍｍである非接触式ＩＣタグを準備した。ＩＣチップには、（株）日立製作所が販売をしている「ミューチップ」を利用した。この非接触式ＩＣタグを、長さ１３０ｍｍの磁気式タグの端部から非接触式ＩＣタグ中心までの距離が３５ｍｍになるように、厚み０．１７ｍｍの市販の両面テープを介して貼り付けて電子タグを作製した。この時、非接触式ＩＣタグの励振スリットは磁気式タグと重ならないようにした。この電子タグの大きさは、幅４ｍｍであった。【００４０】
上記の電子タグを厚さ１ｃｍの書籍の背表紙に粘着テープで貼り、ＩＣタグリーダ（ＭＲＪ３００、出力３００mW、(株)日立国際電気製）とアンテナ（直線偏波方式１パッチアンテナ、ＰＡ１-２４５０ＡＳＡ、(株)日立国際電気製）を用いて通信距離を測定した。その結果、通信距離は８０ｍｍであった。さらに、磁気を感知するゲート（幅９０ｃｍ）を通過させたところ、感知された。
【図１】
0004742141.tif 000003
【図２】
0004742141.tif 000004
【図３】
0004742141.tif 000005
【図４】
0004742141.tif 000006